(57)【要約】【課題】製品輸送時の梱包状態において、梱包性能を確保しつつ製造原価を低減すること。【解決手段】製品輸送時の梱包状態において、水槽ユニット１を下から保持する発泡スチロールから成る下部梱包部材６は、バランスウェイト３下面を下から受けるバランスウェイト受け突出部８、および、水槽下面リブ部２を下から受ける水槽受け突出部７を突設し、水槽受け突出部７は、リブ空間部１１に挿通されて水槽２２の外底面を受ける受け部１２と、リブ部１０に挿通されてリブ部１０を受ける溝部１３が形成された構成とすることにより、製品輸送時における梱包状態において、振動系である水槽ユニット１の保持構成が簡素化され、梱包性能を確保しつつ製造原価を低減することができる。【選択図】図４
2017128336.tif 000002
【特許請求の範囲】
【請求項１】
筐体と、前記筺体内部に防振支持される水槽と、前記水槽内に配設した洗濯兼脱水槽と、前記水槽底面に形成され、前記水槽底面の補強部を構成する水槽下面リブ部と、前記水槽底部に設けられたモータと、製品梱包時に前記水槽、洗濯兼脱水槽、駆動機構部、モータ等からなる水槽ユニットを下方から保持する下部梱包部材とを備え、前記下部梱包部材には、前記水槽下面リブ部を下方から受ける水槽受け突出部を突設した洗濯機。
【請求項２】
筐体と、前記筺体内部に防振支持される水槽と、前記水槽内に配設した洗濯兼脱水槽と、前記水槽底部に設けられたモータと、前記水槽底面の前記モータと略対称位置に配設したバランスウェィトと、製品梱包時に前記水槽、洗濯兼脱水槽、駆動機構部、モータ、バランスウェイト等からなる水槽ユニットを下方から保持する下部梱包部材とを備え、前記下部梱包部材には、前記バランスウェイト下面を下方から受けるバランスウェイト受け突出部を突設した洗濯機。
【請求項３】
前記水槽受け突出部は、前記リブ空間部に挿通されて前記水槽の外底面を受ける受け部と、前記リブ部に挿通されて前記リブ部を受ける溝部が形成された請求項１または２に記載の洗濯機。
【発明の詳細な説明】
【技術分野】
【０００１】
本発明は、製品輸送時に製品を保護する梱包装置を備えた洗濯機に関するものである。
【背景技術】
【０００２】
従来、この種の洗濯機は、製品輸送時に、内部の水槽ユニットが動いて筐体にダメージを与えることがないように、梱包装置により水槽ユニットの動きを規制して筐体への当たりを防止する構成が提案されてきた（例えば、特許文献１参照）。
【０００３】
図７は、従来の洗濯機の梱包状態の縦断面図、図８は、同梱包状態の底面図である。
【０００４】
図７及び図８において、洗濯機は、筐体４３と、筺体４３内に弾性支持される水槽４４と、水槽４４外底部から突設した駆動機構部４５とを備え、駆動機構部４５を覆うように保護具４６がボルト６６にて螺合固着されており、保護具４６の下方には貫通孔４７が設けている。
【０００５】
そして、輸送時の洗濯機底面側の保護のために、緩衝材４８と緩衝材５１を結合して略Ｘ状の緩衝体を形成している。略凸形状に形成し緩衝材４８や緩衝材５１よりも硬度の高い保持具５４の一端を貫通孔４７に挿通し、保持具５４の他端を緩衝材４８の段部５０に挿入して、緩衝材４８と緩衝材５１とで挟持している。筺体４３は、緩衝材４８及び緩衝材５１の端部内方に載置され、保護具４６は、貫通孔４７に保持具５４の上端を挿通して保持されている。
【０００６】
略Ｘ状の緩衝体を形成する緩衝材４８、緩衝材５１の外方には、段ボールなどからなる外箱５５を設けている。また、水槽４４の上方は、外装体６１より挿入された緩衝材６２で固定されている。
【０００７】
そして、外装箱６３が、上部緩衝材６４を介して外装体６１と筺体４３および外箱５５を覆い、外装箱６３と外箱５５の外側から複数のバンド６５により結束している。
【先行技術文献】
【特許文献】
【０００８】
【特許文献１】特開平４−２３９４７１号公報
【発明の概要】
【発明が解決しようとする課題】
【０００９】
しかしながら、前記従来の構成では、梱包部材は製品使用時には不要な部品であり、製品輸送時にのみ必要とされるもので、製造原価低減の要求が厳しいが、梱包部材の部品代や取り付けによる作業工数のアップ等で、製造原価が高くなる課題があった。
【００１０】
本発明は、前記従来の課題を解決するもので、振動系である水槽ユニットの保持構成を簡素化することにより、梱包性能確保と製造原価低減を図り得る梱包装置を備えた洗濯機を提供することを目的とする。
【課題を解決するための手段】
【００１１】
前記従来の課題を解決するために、本発明の洗濯機は、筐体と、前記筺体内部に防振支持される水槽と、前記水槽内に配設した洗濯兼脱水槽と、前記水槽底面に形成され、前記水槽底面の補強部を構成する水槽下面リブ部と、前記水槽底部に設けられたモータと、製
品梱包時に前記水槽、洗濯兼脱水槽、駆動機構部、モータ等からなる水槽ユニットを下方から保持する下部梱包部材とを備え、前記下部梱包部材には、前記水槽下面リブ部を下方から受ける水槽受け突出部を突設した構成としたものである。
【００１２】
これによって、製品輸送時における梱包状態において、振動系である水槽ユニットの保持構成が簡素化され、梱包性能を確保しつつ製造原価を低減する梱包装置を備えた洗濯機を提供することができる。
【００１３】
また、本発明の洗濯機は、筐体と、前記筺体内部に防振支持される水槽と、前記水槽内に配設した洗濯兼脱水槽と、前記水槽底部に設けられたモータと、前記水槽底面の前記モータと略対称位置に配設したバランスウェィトと、製品梱包時に前記水槽、洗濯兼脱水槽、駆動機構部、モータ、バランスウェイト等からなる水槽ユニットを下方から保持する下部梱包部材とを備え、前記下部梱包部材には、前記バランスウェイト下面を下方から受けるバランスウェイト受け突出部を突設した構成としたものである。
【００１４】
これによって、製品輸送時における梱包状態において、振動系である水槽ユニットの保持構成が簡素化され、梱包性能を確保しつつ製造原価を低減する梱包装置を備えた洗濯機を提供することができる。
【発明の効果】
【００１５】
本発明は、製品輸送時における梱包状態において、振動系である水槽ユニットの保持構成を簡素化することにより、梱包性能確保と製造原価低減を図った梱包装置を備えた洗濯機を提供することができる。
【図面の簡単な説明】
【００１６】
【図１】本発明の実施の形態における洗濯機の縦断面図
【図２】同洗濯機の水槽ユニットの外観斜視図
【図３】同洗濯機の下部梱包部材の外観斜視図
【図４】同洗濯機の下部梱包部材による水槽ユニットの保持外観図
【図５】同洗濯機の下部梱包部材により水槽外底面を受けた状態の縦断面図
【図６】同洗濯機の下部梱包部材によりバランスウェィトを受けた状態の縦断面図
【図７】従来の洗濯機の梱包状態の縦断面図
【図８】同洗濯機の梱包状態の底面図
【発明を実施するための形態】
【００１７】
第１の発明の洗濯機は、筐体と、前記筺体内部に防振支持される水槽と、前記水槽内に配設した洗濯兼脱水槽と、前記水槽底面に形成され、前記水槽底面の補強部を構成する水槽下面リブ部と、前記水槽底部に設けられたモータと、製品梱包時に前記水槽、洗濯兼脱水槽、駆動機構部、モータ等からなる水槽ユニットを下方から保持する下部梱包部材とを備え、前記下部梱包部材には、前記水槽下面リブ部を下方から受ける水槽受け突出部を突設したものである。
【００１８】
これによって、製品輸送時における梱包状態において、振動系である水槽ユニットの保持構成が簡素化され、梱包性能を確保しつつ製造原価を低減する梱包装置を備えた洗濯機を提供することができる。
【００１９】
第２の発明の洗濯機は、筐体と、前記筺体内部に防振支持される水槽と、前記水槽内に配設した洗濯兼脱水槽と、前記水槽底部に設けられたモータと、前記水槽底面の前記モータと略対称位置に配設したバランスウェィトと、製品梱包時に前記水槽、洗濯兼脱水槽、駆動機構部、モータ、バランスウェイト等からなる水槽ユニットを下方から保持する下部
梱包部材とを備え、前記下部梱包部材には、前記バランスウェイト下面を下方から受けるバランスウェイト受け突出部を突設したものである。
【００２０】
これによって、製品輸送時における梱包状態において、振動系である水槽ユニットの保持構成が簡素化され、梱包性能を確保しつつ製造原価を低減する梱包装置を備えた洗濯機を提供することができる。
【００２１】
第３の発明の洗濯機は、第１または第２の水槽受け突出部は、前記リブ空間部に挿通されて前記水槽の外底面を受ける受け部と、前記リブ部に挿通されて前記リブ部を受ける溝部が形成されたものである。
【００２２】
これによって、製品輸送時における梱包状態において、振動系である水槽ユニットの保持構成が簡素化され、梱包性能を確保しつつ製造原価を低減する梱包装置を備えた洗濯機を提供することができる。
【００２３】
以下、本発明の実施の形態について、図面を参照しながら説明する。なお、この実施の形態によって本発明が限定されるものではない。
【００２４】
（実施の形態１）
図１は、本発明の実施の形態における洗濯機の縦断面図、図２は、同洗濯機の水槽ユニットの外観斜視図である。
【００２５】
図１及び図２において、筐体２０内には、水槽２２が防振装置１１により垂下防振支持されており、水槽２２内に洗濯兼脱水槽２１が回転自在に設けられている。また、洗濯兼脱水槽２１は、内底面に攪拌翼２３を回転自在に配設し、上部に振動低減用の流体バランサー２４を配している。
【００２６】
水槽２２下部には、モータ５が配設され、モータ５は、Ｖベルト２７および駆動機構部４を介して、洗濯兼脱水槽２１と攪拌翼２３を選択的に回転駆動する。
【００２７】
水槽２２の底部に配した排水弁２８は、開閉により水槽２２内の洗濯水を排水し、機外へ排出する。
【００２８】
また、駆動機構部４を挟んでモータ５の略対称位置には、水槽２２の底面配置部品の重量バランスをとるための下面が平面に形成されたバランスウェイト３が配設されている。
【００２９】
防振装置１１にて垂下防振支持されている水槽２２、洗濯兼脱水槽２１、駆動機構部４、モータ５、バランスウェイト３などにより、振動系の水槽ユニット１を構成している。
【００３０】
筐体２０上方の上部枠体３２の後内部に給水弁２６を設け、給水弁２６は、洗濯兼脱水槽２１内に給水する。
【００３１】
上部枠体３２の前面部内方には、制御手段２５が設けられており、制御手段２５は、モータ５、排水弁２８、給水弁２６などを制御して、洗い、すすぎ、脱水の一連の行程を逐次制御する。
【００３２】
また、水槽２２の外底面には、補強を目的として、水槽下面リブ部２が形成されており、水槽下面リブ部２は、縦横に形成されたリブ部１０と、リブ部１０にて形成されるリブ空間部１１により構成されている。
【００３３】
図３は、本発明の実施の形態における洗濯機の下部梱包部材の外観斜視図、図４は、同洗濯機の下部梱包部材による水槽ユニットの保持外観図、図５は、同洗濯機の下部梱包部材により水槽外底面を受けた状態の縦断面図、図６は、同洗濯機の下部梱包部材によりバランスウェィトを受けた状態の縦断面図である。
【００３４】
図３、図４、図５及び図６において、下部梱包部材６は、発泡スチロールからなり、上面側に、製品梱包時にバランスウェイト３を突出部上面部１５で下から受けるバランスウェイト受け突出部８と、水槽２２の水槽下面リブ部２を下から受ける水槽受け突出部７が形成されている。
【００３５】
水槽受け突出部７は、リブ空間部１１に挿通されて水槽２２の外底面を受ける受け部１２と、リブ部１０に挿通されて水槽２２を受ける溝部１３とが形成されている。
【００３６】
下部梱包部材６の外側には、段ボールなどからなる外装箱３０が設けている。外装箱３０が上部枠体３２の上部に配設される上部緩衝材（図示せず）、上部枠体３２、筐体２０および下部梱包部材６を覆い、その外側を縦方向に複数のバンド３１により結束している。
【００３７】
上記の構成により、梱包状態での輸送、荷扱いにおいて、水槽ユニット１の底面側は、バランスウェイト受け突出部８と水槽受け突出部７により下方から支えられ、左右方向へも動かないように保持される。これにより、水槽ユニット１が筐体２０の中で移動することがなく、筐体２０の変形や打痕を防止することができる。
【００３８】
以上のように、本実施の形態においては、製品輸送時の梱包状態において、水槽ユニット１を下から保持する発泡スチロールからなる下部梱包部材６は、バランスウェイト３下面を下から受けるバランスウェイト受け突出部８、および、水槽下面リブ部２を下から受ける水槽受け突出部７を突設し、水槽受け突出部７は、リブ空間部１１に挿通されて水槽２２の外底面を受ける受け部１２と、リブ部１０に挿通されてリブ部１０を受ける溝部１３が形成された構成とすることにより、製品輸送時における梱包状態において、振動系である水槽ユニット１の保持構成が簡素化され、梱包性能を確保しつつ製造原価を低減することができる。
【産業上の利用可能性】
【００３９】
以上のように、本発明にかかる洗濯機は、製品輸送時における梱包状態において、振動系である水槽ユニットの保持構成を簡素化することにより、梱包性能確保と製造原価低減を実現することが可能となるので、ドラム式ほか他の洗濯機の用途に適用できる。
【符号の説明】
【００４０】
１  水槽ユニット
２  水槽下面リブ部
３  バランスウェイト
４  駆動機構部
５  モータ
６  下部梱包部材
７  水槽受け突出部
８  バランスウェイト受け突出部
１０  リブ部
１１  リブ空間部
１２  受け部
１３  溝部
２０  筐体
２１  洗濯兼脱水槽
２２  水槽
２３  攪拌翼
【図１】
2017128336.tif 000003
【図２】
2017128336.tif 000004
【図３】
2017128336.tif 000005
【図４】
2017128336.tif 000006
【図５】
2017128336.tif 000007
【図６】
2017128336.tif 000008
【図７】
2017128336.tif 000009
【図８】
2017128336.tif 000010